(57)【要約】  他の情報処理装置と接続する情報処理装置１は、時刻を表す時刻データを生成する生成手段１０１と、記憶手段１０２と、音声データが入力されると生成手段１０１を参照し音声データとその受け付け時刻を表す時刻データを対応づけて記憶手段１０２に記憶する録音手段１０３と、収集指示が入力されると他の情報処理装置に要求情報を送信し、他の情報処理装置から音声データとその受け付け時刻を表す時刻データを受信し、受信された音声データおよび時刻データを互いに対応づけて記憶手段１０２に追加記憶する管理手段１１３と、を含む。
2010044157.tif 000002
【特許請求の範囲】
【請求項１】
ネットワークを介して他の情報処理装置と接続する情報処理装置であって、
時刻を表す時刻データを生成する生成手段と、
記憶手段と、
音声データが入力されると、前記生成手段を参照し、当該音声データと、当該音声データの受け付け時刻を表す時刻データとを、互いに対応づけて前記記憶手段に記憶する録音手段と、
前記他の情報処理装置の記憶手段に記憶されているデータを収集する旨の収集指示が入力されると、前記他の情報処理装置に、データを要求する旨の要求情報を送信し、前記他の情報処理装置から、音声データと、当該音声データの受け付け時刻を表す時刻データと、を受信し、当該受信された音声データおよび時刻データを、互いに対応づけて前記記憶手段に追加記憶する管理手段と、を含む情報処理装置。
【請求項２】
画像を表示する表示手段と、
前記表示手段が前記画像を表示すると、前記表示手段に表示中の画像に応じた画像データをキャプチャし、前記生成手段を参照して、当該画像データと、当該画像データのキャプチャ時刻を表す時刻データとを、互いに対応づけて前記記憶手段に記憶するキャプチャ手段と、をさらに含み、
前記管理手段は、前記他の情報処理装置に前記要求情報を送信した後、当該他の情報処理装置から、さらに、前記画像データと当該画像データに対応する時刻データと、を受信すると、当該画像データと当該時刻データとを、互いに対応づけて前記記憶手段に追加記憶する、請求の範囲第１項に記載の情報処理装置。
【請求項３】
データを再生する旨の再生指示が入力されると、前記記憶手段内の各音声データを、対応する時刻データが表す時刻順に読み出す読出手段と、
前記読出手段にて読み出された順に、前記各音声データに応じた音声を出力する音声出力手段と、を含む、請求の範囲第１項または第２項に記載の情報処理装置。
【請求項４】
データを再生する旨の再生指示が入力されると、前記記憶手段内の各音声データおよび画像データを、対応する時刻データが表す時刻順に読み出す読出手段と、
前記読出手段にて読み出された順に、前記各音声データに応じた音声を出力する音声出力手段と、をさらに含み、
前記表示手段は、前記読出手段にて読み出された画像データに応じた画像を表示する、請求の範囲第２項に記載の情報処理装置。
【請求項５】
前記管理手段は、前記他の情報処理装置の識別情報を格納し、前記収集指示が入力されると、前記識別情報にて識別される他の情報処理装置に対して、前記要求情報を送信する、請求の範囲第１項から第４項のいずれかに記載の情報処理装置。
【請求項６】
前記録音手段が前記音声データを受け付けた際に、当該音声データを圧縮して第１音声圧縮データを生成する音声圧縮手段と、
音声伸張手段と、をさらに含み、
前記管理手段は、前記音声圧縮手段にて生成された第１音声圧縮データを、前記他の情報処理装置に送信し、また、当該他の情報処理装置から、音声データが圧縮された第２音声圧縮データを受信し、
前記音声伸張手段は、前記管理手段にて受信された第２音声圧縮データを伸張して復元音声データを生成し、
前記音声出力手段は、前記音声伸張手段にて生成された復元音声データに応じた音声を出力する、請求の範囲第１項から第５項のいずれかに記載の情報処理装置。
【請求項７】
前記キャプチャ手段が前記画像データをキャプチャした際に、当該画像データを圧縮して画像圧縮データを生成する画像圧縮手段と、
画像伸張手段と、をさらに含み、
前記管理手段は、前記画像圧縮手段にて生成された画像圧縮データを、前記他の情報処理装置に送信し、また、前記他の情報処理装置から、当該他の情報処理装置にてキャプチャされた画像データが圧縮された画像圧縮データを受信し、
前記画像伸張手段は、前記管理手段にて受信された画像圧縮データを伸張して表示用画像データを生成し、
前記表示手段は、前記画像伸張手段にて生成された表示用画像データに応じた画像を表示する、請求の範囲第２項または第４項に記載の情報処理装置。
【請求項８】
ネットワークを介して他の情報処理装置と接続する情報処理装置での会議情報生成方法であって、
時刻を表す時刻データを生成し、
音声データが入力されると、前記時刻データを参照し、当該音声データと、当該音声データの受け付け時刻を表す時刻データとを、互いに対応づけて記憶手段に記憶し、
前記他の情報処理装置の記憶手段に記憶されているデータを収集する旨の収集指示が入力されると、前記他の情報処理装置に、データを要求する旨の要求情報を送信し、前記他の情報処理装置から、音声データと、当該音声データの受け付け時刻を表す時刻データと、を受信し、当該受信された音声データおよび時刻データを、互いに対応づけて前記記憶手段に追加記憶する、会議情報生成方法。
【請求項９】
表示手段が画像を表示すると、表示中の画像に応じた画像データをキャプチャし、前記時刻データを参照して、当該画像データと、当該画像データのキャプチャ時刻を表す時刻データとを、互いに対応づけて前記記憶手段に記憶し、
前記他の情報処理装置に前記要求情報を送信した後、当該他の情報処理装置から、さらに、前記画像データと当該画像データに対応する時刻データと、を受信すると、当該画像データと当該時刻データとを、互いに対応づけて前記記憶手段に追加記憶する、請求の範囲第８項に記載の会議情報生成方法。
【請求項１０】
データを再生する旨の再生指示が入力されると、前記記憶手段内の各音声データを、対応する時刻データが表す時刻順に読み出し、
前記読み出された順に、前記各音声データに応じた音声を出力する、請求の範囲第８項または第９項に記載の会議情報生成方法。
【請求項１１】
データを再生する旨の再生指示が入力されると、前記記憶手段内の各音声データおよび画像データを、対応する時刻データが表す時刻順に読み出し、
前記読み出された順に、前記各音声データに応じた音声を出力し、前記画像データに応じた画像を表示する、請求の範囲第９項に記載の会議情報生成方法。
【請求項１２】
前記他の情報処理装置の識別情報を格納し、
前記収集指示が入力されると、前記識別情報にて識別される他の情報処理装置に対して、前記要求情報を送信する、請求の範囲第８項から第１１項のいずれかに記載の会議情報生成方法。
【請求項１３】
前記音声データを受け付けた際に、当該音声データを圧縮して第１音声圧縮データを生成し、
前記第１音声圧縮データを、前記他の情報処理装置に送信し、
前記他の情報処理装置から、音声データが圧縮された第２音声圧縮データを受信し、
前記第２音声圧縮データを伸張して復元音声データを生成し、
前記復元音声データに応じた音声を出力する、請求の範囲第８項から第１２項のいずれかに記載の会議情報生成方法。
【請求項１４】
前記画像データをキャプチャした際に、当該画像データを圧縮して画像圧縮データを生成し、
前記画像圧縮データを、前記他の情報処理装置に送信し、
前記他の情報処理装置から、当該他の情報処理装置にてキャプチャされた画像データが圧縮された画像圧縮データを受信し、
前記受信された画像圧縮データを伸張して表示用画像データを生成し、
前記表示用画像データに応じた画像を表示する、請求の範囲第９項または第１１項に記載の会議情報生成方法。
【請求項１５】
ネットワークを介して他の情報処理装置と接続するコンピュータに、
時刻を表す時刻データを生成する生成手順と、
音声データが入力されると、前記時刻データを参照し、当該音声データと、当該音声データの受け付け時刻を表す時刻データとを、互いに対応づけて記憶手段に記憶する録音手順と、
前記他の情報処理装置の記憶手段に記憶されているデータを収集する旨の収集指示が入力されると、前記他の情報処理装置に、データを要求する旨の要求情報を送信し、前記他の情報処理装置から、音声データと、当該音声データの受け付け時刻を表す時刻データと、を受信し、当該受信された音声データおよび時刻データを、互いに対応づけて前記記憶手段に追加記憶する管理手順と、を実行させるためのプログラムを記録したコンピュータ読み取り可能な記録媒体。
【請求項１６】
前記プログラムは、前記コンピュータに、さらに、
表示手段が画像を表示すると、表示中の画像に応じた画像データをキャプチャし、前記時刻データを参照して、当該画像データと、当該画像データのキャプチャ時刻を表す時刻データとを、互いに対応づけて前記記憶手段に記憶する録画手順と、
前記他の情報処理装置に前記要求情報を送信した後、当該他の情報処理装置から、さらに、前記画像データと当該画像データに対応する時刻データと、を受信すると、当該画像データと当該時刻データとを、互いに対応づけて前記記憶手段に追加記憶する追加録画手順と、を実行させる、請求の範囲第１５項に記載の記録媒体。
【発明の詳細な説明】
【技術分野】
【０００１】
本発明は、情報処理装置、会議情報生成方法および記録媒体に関し、特には、電子会議システムを構成可能な情報処理装置、会議情報生成方法および記録媒体に関する。
【背景技術】
【０００２】
会議参加者によって個別に使用される参加者装置が接続されてなる電子会議システムが知られている。【０００３】
特許文献１には、会議の様子を記録可能な電子会議システムが記載されている。【０００４】
この電子会議システムは、参加者装置の他に、ディスプレイステーションを有する。ディスプレイステーションは、会議の様子を表した映像データおよび音声データと、会議で使用された資料を表した画像データと、をリアルタイムで記録する。【０００５】
特許文献２には、会議の議事録を作成する議事録作成システムが記載されている。【０００６】
この議事録作成システムは、参加者装置の他に、議事録管理装置を有する。議事録管理装置は、参加者装置から、会議参加者の発言を表す音声データをリアルタイムで取得し、その音声データに基づいて、議事録を作成する。【０００７】
特許文献３には、会議内容を表す文書を作成して表示する文書作成閲覧装置が記載されている。【０００８】
この文書作成閲覧装置は、会議の様子を撮影するビデオカメラから映像データをリアルタイムで受け付け、また、会議参加者の発言を受け付けるマイクロフォンから音声データをリアルタイムで受け付ける。この文書作成閲覧装置は、映像データと音声データに基づいて、会議内容を表す文書を作成して表示する。【０００９】
なお、この文書作成閲覧装置は、参加者装置ではない。
【特許文献１】特開２００６−１４８７３０号公報
【特許文献２】特開２００４−８０４８６号公報
【特許文献３】再公表特許ＷＯ２００５−０２７０９２号公報
【発明の開示】
【発明が解決しようとする課題】
【００１０】
特許文献１に記載の電子会議システム、および、特許文献２に記載の議事録作成システムでは、参加者装置と異なる装置が、実際の会議の内容を示す会議情報、例えば、参加者の発言を表す音声データをリアルタイムで収集する。以下、参加者装置と異なり、かつ、会議情報を収集する装置を、「会議サーバ」と称する。【００１１】
特許文献３に記載の文書作成閲覧装置は、参加者装置と異なり、かつ、会議情報を収集するので、会議サーバに相当する。【００１２】
このため、特許文献１から３に記載の技術を使用した場合、会議終了後に実際の会議を追体験可能な会議情報を生成するためには、会議サーバが必要となり、電子会議システムを構成する装置が多くなるという課題があった。【００１３】
換言すると、会議サーバが存在しない電子会議システムでは、会議終了後に実際の会議を追体験可能な会議情報を生成しようとしても、会議情報を生成することができないという課題があった。【００１４】
本発明の目的は、上述した課題を解決することが可能な情報処理装置、会議情報生成方法および記録媒体を提供することにある。
【課題を解決するための手段】
【００１５】
本発明の情報処理装置は、ネットワークを介して他の情報処理装置と接続する情報処理装置であって、時刻を表す時刻データを生成する生成手段と、記憶手段と、音声データが入力されると、前記生成手段を参照し、当該音声データと、当該音声データの受け付け時刻を表す時刻データとを、互いに対応づけて前記記憶手段に記憶する録音手段と、前記他の情報処理装置の記憶手段に記憶されているデータを収集する旨の収集指示が入力されると、前記他の情報処理装置に、データを要求する旨の要求情報を送信し、前記他の情報処理装置から、音声データと、当該音声データの受け付け時刻を表す時刻データと、を受信し、当該受信された音声データおよび時刻データを、互いに対応づけて前記記憶手段に追加記憶する管理手段と、を含む。【００１６】
本発明の会議情報生成方法は、ネットワークを介して他の情報処理装置と接続する情報処理装置での会議情報生成方法であって、時刻を表す時刻データを生成し、音声データが入力されると、前記時刻データを参照し、当該音声データと、当該音声データの受け付け時刻を表す時刻データとを、互いに対応づけて記憶手段に記憶し、前記他の情報処理装置の記憶手段に記憶されているデータを収集する旨の収集指示が入力されると、前記他の情報処理装置に、データを要求する旨の要求情報を送信し、前記他の情報処理装置から、音声データと、当該音声データの受け付け時刻を表す時刻データと、を受信し、当該受信された音声データおよび時刻データを、互いに対応づけて前記記憶手段に追加記憶する。【００１７】
本発明の記録媒体は、ネットワークを介して他の情報処理装置と接続するコンピュータに、時刻を表す時刻データを生成する生成手順と、音声データが入力されると、前記時刻データを参照し、当該音声データと、当該音声データの受け付け時刻を表す時刻データとを、互いに対応づけて記憶手段に記憶する録音手順と、前記他の情報処理装置の記憶手段に記憶されているデータを収集する旨の収集指示が入力されると、前記他の情報処理装置に、データを要求する旨の要求情報を送信し、前記他の情報処理装置から、音声データと、当該音声データの受け付け時刻を表す時刻データと、を受信し、当該受信された音声データおよび時刻データを、互いに対応づけて前記記憶手段に追加記憶する管理手順と、を実行させるためのプログラムを記録したコンピュータ読み取り可能な記録媒体である。
【発明の効果】
【００１８】
本発明によれば、会議サーバが存在しない電子会議システムでも、会議終了後に実際の会議を追体験可能な会議情報を生成することが可能になる。
【図面の簡単な説明】
【００１９】
【図１】本発明の第１実施形態の情報処理装置を用いた電子会議システムを示したブロック図である。
【図２】発表者装置１を示したブロック図である。
【図３】参加者装置２を示したブロック図である。
【図４】参加者装置３を示したブロック図である。
【図５】ネットワークプロジェクター４を示したブロック図である。
【図６】電子会議システムの動作を説明するためのフローチャートである。
【図７】記憶装置１０２に保存されるデータを、時刻データが表す時刻順に示した説明図である。
【図８】参加者装置２Ａを示したブロック図である。
【図９】発表者装置１Ａを示したブロック図である。
【図１０】参加者装置２Ａが会議情報を保存する動作を説明するためのフローチャートである。
【符号の説明】
【００２０】
１、１Ａ  発表者装置
２、２Ａ、３  参加者装置
４  ネットワークプロジェクター
５  ＬＡＮ
６、７  ルータ
１ａ、２ａ、３ａ  マイク
４ａ  スクリーン
１０１、２０１、３０１  時刻データ生成部
１０２、２０２、３０２  記憶装置
１０３、２０３、３０３  音声録音装置
１０４、２０４、３０４  音声圧縮部
１０５、１０５Ａ、２０５、２０５Ａ、３０５、４０１  ＴＣＰ／ＩＰプロトコルスタック部
１０６、１０６Ａ、２０６、２０６Ａ、３０６、４０２  会議管理部
１０７、２０８、３０８、４０４  映像表示装置
１０８  画面キャプチャ部
１０９  画像圧縮部
１１０、２０９、３０９、４０５  音声伸張部
１１１、２１０、３１０、４０６  音声出力装置
１１２、２１２  読出部
１１３、１１３Ａ、２１１、２１１Ａ、３１１、４０７  管理部
２０７、３０７、４０３  画像伸張部
【発明を実施するための最良の形態】
【００２１】
以下、本発明の実施形態を図面を参照して説明する。【００２２】
（第１実施形態）
図１は、本発明の第１実施形態の情報処理装置を用いた電子会議システムを示したブロック図である。【００２３】
図１において、電子会議システムは、発表者装置１と、参加者装置２と、参加者装置３と、ネットワークプロジェクター４と、を含む。発表者装置１と、参加者装置２と、参加者装置３と、ネットワークプロジェクター４とは、ＬＡＮ（Local Area Network）５を介して、相互に接続されている。【００２４】
本実施形態では、発表者装置１と参加者装置２とネットワークプロジェクター４とは、ルータ６に接続されている。参加者装置３は、ルータ７を介して、ルータ６に接続されている。【００２５】
発表者装置１と参加者装置２と参加者装置３とは、共通する機能（構成要素）を有する個々の情報処理装置によって実現される。つまり、この情報処理装置が発表者によって使用されると、この情報処理装置は、発表者装置として機能する。また、この情報処理装置が参加者によって使用されると、この情報処理装置は、参加者装置として機能する。【００２６】
本実施形態では、２台の参加者装置が用いられているが、参加者装置の数は２台に限らず１台以上であればよい。【００２７】
次に、電子会議システムの概要を説明する。【００２８】
会議が開始されると、発表者装置１は、発表者装置１が表示中の画像を表す画像データを、その画像の表示時刻を表す時刻データと対応づけて、発表者装置１に保存する。【００２９】
また、発表者装置１は、その画像データを圧縮して画像圧縮データを生成する。発表者装置１は、その画像圧縮データを、参加者装置２と、参加者装置３と、ネットワークプロジェクター４と、に送信する。【００３０】
参加者装置２と参加者装置３とネットワークプロジェクター４とのそれぞれは、発表者装置１から画像圧縮データを受信すると、その画像圧縮データを伸張して画像データ（以下「表示用画像データ」と称する）を生成する。【００３１】
参加者装置２と参加者装置３とのそれぞれは、表示用画像データに応じた画像を表示する。ネットワークプロジェクター４は、表示用画像データに応じた画像光を、スクリーン４ａに投射して、スクリーン４ａ上に、表示用画像データに応じた画像を表示する。【００３２】
このため、参加者装置２と参加者装置３とネットワークプロジェクター４とのそれぞれは、発表者装置１が表示中の画面と同じ画面を表示することになる。【００３３】
また、発表者装置１と参加者装置２と参加者装置３とのそれぞれは、自装置の使用者が発言すると、自装置に接続されているマイクから、その発言を表す音声データを受け付ける。【００３４】
発表者装置１と参加者装置２と参加者装置３とのそれぞれは、マイクから音声データを受け付けるごとに、その音声データを、その音声データの受付時刻を示す時刻データと対応づけて自装置に保存する。【００３５】
また、発表者装置１と参加者装置２と参加者装置３とのそれぞれは、音声データを受け付けるごとに、その音声データを圧縮して音声圧縮データを生成する。発表者装置１と参加者装置２と参加者装置３とのそれぞれは、その音声圧縮データを、電子会議システム内の他の装置に送信する。【００３６】
また、発表者装置１と参加者装置２と参加者装置３とネットワークプロジェクター４とのそれぞれは、電子会議システム内の他の装置から音声圧縮データを受信すると、その音声圧縮データを伸張して音声データ（以下「復元音声データ」と称する）を生成する。【００３７】
発表者装置１と参加者装置２と参加者装置３とネットワークプロジェクター４とのそれぞれは、復元音声データに応じた音声を出力する。【００３８】
このため、各装置の使用者の発言は、電子会議システムを介して、リアルタイムで、他の使用者に伝えられる。【００３９】
会議が終了すると、発表者装置１は、参加者装置２と参加者装置３とから、各装置内に互いに対応づけられて保存されている音声データおよび時刻データを収集して保存する。【００４０】
発表者装置１は、データを再生する旨の再生指示を受け付けると、発表者装置１内の各音声データおよび画像データを、そのデータに対応する時刻データが表す時刻順に読み出し再生する。【００４１】
このため、電子会議システムを使用した会議での各装置の使用者（発表者および参加者）の発言と、会議で表示された画像（例えば、説明用資料）と、を用いて、実際に行われた会議を再現することが可能になる。【００４２】
図２は、発表者装置１、参加者装置２および参加者装置３の全ての機能を有する情報処理装置が発表者装置１であるときに機能する構成要素を示したブロック図である。【００４３】
図２において、発表者装置１は、時刻データ生成部１０１と、記憶装置１０２と、音声録音装置１０３と、音声圧縮部１０４と、ＴＣＰ／ＩＰ（Transmission Control Protocol / Internet Protocol）プロトコルスタック部１０５と、会議管理部１０６と、映像表示装置１０７と、画面キャプチャ部１０８と、画像圧縮部１０９と、音声伸張部１１０と、音声出力装置１１１と、読出部１１２と、を含む。ＴＣＰ／ＩＰプロトコルスタック部１０５と会議管理部１０６とは、管理部１１３に含まれる。【００４４】
時刻データ生成部１０１は、一般的に生成手段と呼ぶことができる。時刻データ生成部１０１は、時刻を表す時刻データを生成する。なお、２つの時刻データ生成部１０１が設けられ、一方が音声録音装置１０３に内蔵され、他方が画面キャプチャ部１０８に内蔵されてもよい。【００４５】
記憶装置１０２は、一般的に記憶手段と呼ぶことができる。記憶装置１０２は、例えば、大容量の記憶装置である。【００４６】
音声録音装置１０３は、一般的に録音手段と呼ぶことができる。【００４７】
音声録音装置１０３は、自装置の使用者（発表者）の発言を表す音声データを受け付けると、時刻データ生成部１０１を参照して、その音声データと、その音声データの受け付け時刻を表す時刻データとを、互いに対応づけて記憶装置１０２に記憶すると共に、その音声データを、音声圧縮部１０４に提供する。【００４８】
音声圧縮部１０４は、一般的に音声圧縮手段と呼ぶことができる。【００４９】
音声圧縮部１０４は、音声データを受け付けると、その音声データを圧縮して第１音声圧縮データを生成する。音声圧縮部１０４は、第１音声圧縮データを、管理部１１３に提供する。【００５０】
映像表示装置１０７は、一般的に表示手段と呼ぶことができる。【００５１】
映像表示装置１０７は、画像データに応じた画像を表示する。映像表示装置１０７は、例えば、発表用資料を表す画像データに応じた画像を表示する。【００５２】
画面キャプチャ部１０８は、一般的にキャプチャ手段と呼ぶことができる。【００５３】
画面キャプチャ部１０８は、映像表示装置１０７に表示中の画像に応じた画像データをキャプチャし、時刻データ生成部１０１を参照して、画像データと、画像データのキャプチャ時刻を表す時刻データとを、互いに対応づけて記憶装置１０２に記憶すると共に、画像データを、画像圧縮部１０９に提供する。【００５４】
画像圧縮部１０９は、一般的に画像圧縮手段と呼ぶことができる。【００５５】
画像圧縮部１０９は、画像データを受け付けると、画像データを圧縮して画像圧縮データを生成する。画像圧縮部１０９は、画像圧縮データを、管理部１１３に提供する。【００５６】
管理部１１３は、一般的に管理手段と呼ぶことができる。【００５７】
管理部１１３は、音声圧縮部１０４から第１音声圧縮データを受け付けると、第１音声圧縮データを、参加者装置２と参加者装置３とネットワークプロジェクター４とのそれぞれに送信する。【００５８】
管理部１１３は、画像圧縮部１０９から画像圧縮データを受け付けると、画像圧縮データを、参加者装置２と参加者装置３とネットワークプロジェクター４とのそれぞれに送信する。【００５９】
管理部１１３は、参加者装置２と参加者装置３とのいずれかから、音声圧縮データを受信すると、その音声圧縮データ（以下「第２音声圧縮データ」と称する）を、音声伸張部１１０に提供する。なお、第２音声圧縮データは、そのデータの送信元の使用者の発言を表す。【００６０】
音声伸張部１１０は、一般的に音声伸張手段と呼ぶことができる。【００６１】
音声伸張部１１０は、管理部１１３から第２音声圧縮データを受け付けると、第２音声圧縮データを伸張して復元音声データを生成する。音声伸張部１１０は、復元音声データを、音声出力装置１１１に提供する。【００６２】
音声出力装置１１１は、一般的に音声出力手段と呼ぶことができる。【００６３】
音声出力装置１１１は、復元音声データを受け付けると、復元音声データに応じた音声を出力する。【００６４】
また、管理部１１３は、例えば、リアルタイムで音声圧縮データと画像圧縮データとを他の装置との間で送受信する会議が終了した後に、データを収集する旨の収集指示を受け付けると、他の情報処理装置である参加者装置２および参加者装置３に、データを要求する旨の要求情報を送信する。【００６５】
管理部１１３は、要求情報送信後、参加者装置２と参加者装置３のそれぞれから、その装置の使用者の発言を表す音声データと、その音声データが表す発言の時刻を表す時刻データと、を受信すると、その音声データと時刻データとを、互いに対応づけて記憶装置１０２に追加記憶する。【００６６】
ＴＣＰ／ＩＰプロトコルスタック部１０５は、ＬＡＮ５と接続し、発表者装置１と電子会議システム内の他の装置との間の通信を制御する。【００６７】
会議管理部１０６は、電子会議システムに参加している装置を把握し、発表者装置１の使用者すなわち発表者からの指示（例えば、収集指示）に基づいて、種々のコマンド（例えば、要求情報）を出力する。【００６８】
読出部１１２は、一般的に読出手段と呼ぶことができる。【００６９】
読出部１１２は、再生指示を受け付けると、記憶装置１０２内の音声データを、その音声データに対応する時刻データが表す時刻順に読み出す。【００７０】
本実施形態では、読出部１１２は、再生指示を受け付けると、記憶装置１０２内の音声データおよび画像データを、そのデータに対応する時刻データが表す時刻順に読み出す。【００７１】
読出部１１２は、音声データを読み出すごとに、その音声データを音声出力装置１１１に提供し、また、画像データを読み出すごとに、その画像データを映像表示装置１０７に提供する。【００７２】
音声出力装置１１１は、読出部１１２から音声データを受け付けると、その音声データに応じた音声を出力する。【００７３】
映像表示装置１０７は、読出部１１２から画像データを受け付けると、その画像データに応じた画像を出力する。【００７４】
図３は、発表者装置１、参加者装置２および参加者装置３の全ての機能を有する情報処理装置が参加者装置２であるときに機能する構成要素を示したブロック図である。【００７５】
図３において、参加者装置２は、時刻データ生成部２０１と、記憶装置２０２と、音声録音装置２０３と、音声圧縮部２０４と、ＴＣＰ／ＩＰプロトコルスタック部２０５と、会議管理部２０６と、画像伸張部２０７と、映像表示装置２０８と、音声伸張部２０９と、音声出力装置２１０と、を含む。ＴＣＰ／ＩＰプロトコルスタック部２０５と、会議管理部２０６とは、管理部２１１に含まれる。【００７６】
時刻データ生成部２０１は、時刻を表す時刻データを生成する。【００７７】
記憶装置２０２は、一般的にデータ記憶手段と呼ぶことができる。記憶装置２０２は、例えば、大容量の記憶装置である。【００７８】
音声録音装置２０３は、自装置の使用者（参加者）の発言を表す音声データを受け付けると、時刻データ生成部２０１を参照して、その音声データと、その音声データの受け付け時刻を表す時刻データとを、互いに対応づけて記憶装置２０２に記憶すると共に、その音声データを、音声圧縮部２０４に提供する。【００７９】
音声圧縮部２０４は、音声データを受け付けると、その音声データを圧縮して第２音声圧縮データを生成する。音声圧縮部２０４は、第２音声圧縮データを、管理部２１１に提供する。【００８０】
管理部２１１は、音声圧縮部２０４から第２音声圧縮データを受け付けると、第２音声圧縮データを、発表者装置１と参加者装置３とネットワークプロジェクター４のそれぞれに送信する。【００８１】
管理部２１１は、発表者装置１から画像圧縮データを受信すると、その画像圧縮データを、画像伸張部２０７に提供する。【００８２】
画像伸張部２０７は、一般的に画像データ伸張手段と呼ぶことができる。【００８３】
画像伸張部２０７は、画像圧縮データを受け付けると、その画像圧縮データを展開すなわち伸張して表示用画像データを生成する。画像伸張部２０７は、表示用画像データを、映像表示装置２０８に提供する。【００８４】
映像表示装置２０８は、表示用画像データを受け付けると、その表示用画像データに応じた画像を表示する。【００８５】
また、管理部２１１は、発表者装置１または参加者装置３から音声圧縮データを受信すると、その音声圧縮データを、音声伸張部２０９に提供する。【００８６】
音声伸張部２０９は、音声圧縮データを受け付けると、その音声圧縮データを展開すなわち伸張して復元音声データを生成する。音声伸張部２０９は、復元音声データを、音声出力装置２１０に提供する。【００８７】
音声出力装置２１０は、復元音声データを受け付けると、その復元音声データに応じた音声を出力する。【００８８】
また、管理部２１１は、発表者装置１から要求情報を受信すると、記憶装置２０２内に互いに対応づけて記憶してある音声データおよび時刻データの組を読み出し、その組を、発表者装置１に送信する。【００８９】
ＴＣＰ／ＩＰプロトコルスタック部２０５は、ＬＡＮ５と接続し、参加者装置２と電子会議システム内の他の装置との間の通信を制御する。【００９０】
会議管理部２０６は、電子会議システムに参加している装置を把握し、発表者装置１からの指示（例えば、要求情報）、または、参加者装置２の使用者（参加者）からの指示に基づいて、種々の情報を出力する。【００９１】
図４は、発表者装置１、参加者装置２および参加者装置３の全ての機能を有する情報処理装置が参加者装置３であるときに機能する構成要素を示したブロック図である。【００９２】
図４において、参加者装置３は、時刻データ生成部３０１と、記憶装置３０２と、音声録音装置３０３と、音声圧縮部３０４と、ＴＣＰ／ＩＰプロトコルスタック部３０５と、会議管理部３０６と、画像伸張部３０７と、映像表示装置３０８と、音声伸張部３０９と、音声出力装置３１０と、を含む。ＴＣＰ／ＩＰプロトコルスタック部３０５と、会議管理部３０６とは、管理部３１１に含まれる。【００９３】
なお、時刻データ生成部３０１は、時刻データ生成部２０１と同様に機能する。記憶装置３０２は、記憶装置２０２と同様に機能する。音声録音装置３０３は、音声録音装置２０３と同様に機能する。音声圧縮部３０４は、音声圧縮部２０４と同様に機能する。ＴＣＰ／ＩＰプロトコルスタック部３０５は、ＴＣＰ／ＩＰプロトコルスタック部２０５と同様に機能する。会議管理部３０６は、会議管理部２０６と同様に機能する。画像伸張部３０７は、画像伸張部２０７と同様に機能する。映像表示装置３０８は、映像表示装置２０８と同様に機能する。音声伸張部３０９は、音声伸張部２０９と同様に機能する。音声出力装置３１０は、音声出力装置２１０と同様に機能する。【００９４】
図２、図３および図４では、発表者装置１、参加者装置２および参加者装置３の全ての機能を有する情報処理装置が有する、時刻データ生成部、記憶装置、音声録音装置、音声圧縮部、ＴＣＰ／ＩＰプロトコルスタック部、会議管理部、映像表示装置、画面キャプチャ部、画像圧縮部、音声伸張部、音声出力装置、読出部、管理部、画像伸張部のそれぞれについて、発表者装置１と参加者装置２と参加者装置３とで別々の符号を付したが、同一名称の各々は、異なる符合で示された同一名称のものが有する機能の全てを有する。【００９５】
発表者装置１、参加者装置２および参加者装置３の全ての機能を有する情報処理装置は、例えば、発表者装置１の構成に、参加者装置２内の画像伸張部２０７を加え、さらに、発表者装置１内の管理部１１３が、参加者装置２内の管理部２１１の機能を有するものである。【００９６】
なお、発表者装置１、参加者装置２および参加者装置３の全ての機能を有する情報処理装置の各構成部は、ハードウェアでもよいし、また、各構成部の機能を規定したプログラムを実行するコンピュータによって実現されてもよい。【００９７】
発表者装置１、参加者装置２および参加者装置３の全ての機能を有する情報処理装置の各構成部が、プログラムを実行するコンピュータにて実現される場合、各構成部の機能を規定したプログラムは、ＣＤ−ＲＯＭ、ハードディスクまたはメモリ等のコンピュータ読み取り可能な記録媒体に記録されており、コンピュータが、その記録媒体から、そのコンピュータを読み取り実行して、上述した機能を実現する。【００９８】
図５は、ネットワークプロジェクター４を示したブロック図である。【００９９】
図５において、ネットワークプロジェクター４は、ＴＣＰ／ＩＰプロトコルスタック部４０１と、会議管理部４０２と、画像伸張部４０３と、映像表示装置４０４と、音声伸張部４０５と、音声出力装置４０６と、を含む。ＴＣＰ／ＩＰプロトコルスタック部４０１と、会議管理部４０２とは、管理部４０７に含まれる。【０１００】
管理部４０７は、発表者装置１から画像圧縮データを受信すると、その画像圧縮データを、画像伸張部４０３に提供する。【０１０１】
画像伸張部４０３は、画像圧縮データを受け付けると、その画像圧縮データを展開すなわち伸張して表示用画像データを生成する。画像伸張部４０３は、表示用画像データを、映像表示装置４０４に提供する。【０１０２】
映像表示装置４０４は、表示用画像データを受け付けると、その表示用画像データに応じた画像光をスクリーン４ａに投射して、スクリーン４ａ上に、表示用画像データに応じた画像を表示する。【０１０３】
また、管理部４０７は、発表者装置１、参加者装置２または参加者装置３から、音声圧縮データを受信すると、その音声圧縮データを、音声伸張部４０５に提供する。【０１０４】
音声伸張部４０５は、音声圧縮データを受け付けると、その音声圧縮データを展開すなわち伸張して復元音声データを生成する。音声伸張部４０５は、復元音声データを、音声出力装置４０６に提供する。【０１０５】
音声出力装置４０６は、復元音声データを受け付けると、その復元音声データに応じた音声を出力する。【０１０６】
ＴＣＰ／ＩＰプロトコルスタック部４０１は、ＬＡＮ５と接続し、ネットワークプロジェクター４と電子会議システム内の他の装置との通信を制御する。【０１０７】
会議管理部４０２は、電子会議システムに参加している装置を把握する。【０１０８】
なお、ＴＣＰ／ＩＰプロトコルスタック部１０５、ＴＣＰ／ＩＰプロトコルスタック部２０５、ＴＣＰ／ＩＰプロトコルスタック部３０５およびＴＣＰ／ＩＰプロトコルスタック部４０１は、インターネットまたはイントラネットで標準的に使われる通信のためのプロトコルに基づいて動作する。【０１０９】
また、発表者装置１、参加者装置２、参加者装置３、ネットワークプロジェクター４とも、自装置内のＴＣＰ／ＩＰプロトコルスタック部の設定は完了しており、ＬＡＮ５に接続して、相互に通信が可能な状態になっているとする。【０１１０】
次に、動作を説明する。【０１１１】
図６は、電子会議システムの動作を説明するためのフローチャートである。以下、図６を参照して、電子会議システムの動作を説明する。【０１１２】
会議を開始するために、発表者装置１が、ネットワークプロジェクター４に接続する（ステップ６０１）。【０１１３】
続いて、発表者装置１の会議管理部１０６は、発表者装置１の識別情報と、ネットワークプロジェクター４の識別情報とを、会議管理情報として格納する。なお、会議管理部１０６は、自装置の識別情報と、ネットワークプロジェクター４の識別情報とを、予め認識しているものとする。【０１１４】
なお、会議管理情報は、会議に参加している装置の識別情報を表す。【０１１５】
次に、発表者装置１は、ネットワークプロジェクター４に、画像データ（具体的には、画像圧縮データ）と音声データ（具体的には、音声圧縮データ）とを送信する（ステップ６０２）。【０１１６】
以下、ステップ６０２とステップ６０２に伴う動作について説明する。【０１１７】
図２を参照すると、発表者装置１の会議管理部１０６は、時刻データ生成部１０１の時刻データが現在表している時刻を、会議開始時刻ｔ０に設定する。このため、時刻データ生成部１０１の時刻データは、会議開始時刻ｔ０を基準にした時刻、すなわち、会議開始時刻ｔ０からの経過時間を表すようになる。【０１１８】
続いて、会議管理部１０６は、音声録音装置１０３と画面キャプチャ部１０８の動作を開始させる。【０１１９】
音声録音装置１０３は、マイク１ａから音声データを受け付けるごとに、その音声データを、非圧縮のまま記憶装置１０２に音声データ１として保存すると同時に、その音声データを、音声圧縮部１０４に提供する。【０１２０】
音声圧縮部１０４は、音声データを受け付けると、その音声データを圧縮して音声圧縮データを生成する。音声圧縮部１０４は、音声圧縮データを、ＴＣＰ／ＩＰプロトコルスタック部１０５に提供する。【０１２１】
ＴＣＰ／ＩＰプロトコルスタック部１０５は、音声圧縮データを受け付けると、その音声圧縮データを、ＬＡＮ５経由でネットワークプロジェクター４に送信する。【０１２２】
リアルタイムで会議を行うためには、音声データを圧縮して、ＬＡＮ５に出力されるデータを少なくすることが好ましい。【０１２３】
なお、音声録音装置１０３は、マイク１ａから音声データを受け付けると、時刻データ生成部１０１を参照し、音声データ１を議事録用データとして、会議時刻ｔ０を表す時刻データと対応づけて、記憶装置１０２に保存する。【０１２４】
図５を参照すると、ネットワークプロジェクター４では、ＴＣＰ／ＩＰプロトコルスタック部４０１は、音声圧縮データを受信すると、その音声圧縮データを、音声伸張部４０５に提供する。【０１２５】
音声伸張部４０５は、音声圧縮データを受け付けると、その音声圧縮データを展開すなわち伸張して復元音声データを生成する。音声伸張部４０５は、復元音声データを、音声出力装置４０６に提供する。【０１２６】
音声出力装置４０６は、復元音声データを受け付けると、その復元音声データに応じた音声を出力する。【０１２７】
図２を参照すると、画面キャプチャ部１０８は、映像表示装置１０７が表示中の画像を表す画像データをキャプチャする。【０１２８】
画像キャプチャ部１０８は、キャプチャした画像データを、非圧縮のまま、記憶装置１０２に保存すると同時に、その画像データを、画像圧縮部１０９に提供する。【０１２９】
画像圧縮部１０９は、画像データを受け付けると、その画像データを圧縮して画像圧縮データを生成する。画像圧縮部１０９は、画像圧縮データを、ＴＣＰ／ＩＰプロトコルスタック部１０５に提供する。【０１３０】
ＴＣＰ／ＩＰプロトコルスタック部１０５は、画像圧縮データを受け付けると、その画像圧縮データを、ＬＡＮ５経由でネットワークプロジェクター４に送信する。【０１３１】
リアルタイムで会議を行うためには、画像データを圧縮して、ＬＡＮ５に出力されるデータを少なくすることが好ましい。【０１３２】
なお、画像キャプチャ部１０８は、画像データをキャプチャするごとに、時刻データ生成部１０１を参照し、画像データを議事録用データとして、会議時刻ｔ０を表す時刻データと対応づけて、記憶装置１０２に保存する。【０１３３】
図５を参照すると、ネットワークプロジェクター４では、ＴＣＰ／ＩＰプロトコルスタック部４０１は、画像圧縮データを受信すると、その画像圧縮データを、画像伸張部４０３に提供する。【０１３４】
画像伸張部４０３は、画像圧縮データを受け付けると、その画像圧縮データを展開すなわち伸張して表示用画像データを生成する。画像伸張部４０３は、表示用画像データを、映像表示装置４０４に提供する。【０１３５】
映像表示装置４０４は、表示用画像データを受け付けると、表示用画像データに応じた画像光をスクリーン４ａに投射して、スクリーン４ａ上に、表示用画像データに応じた画像を表示する。【０１３６】
ここまでが、ステップ６０２とステップ６０２に伴う動作についての説明である。【０１３７】
次に、参加者装置２が、会議に参加する（ステップ６０３）。【０１３８】
以下、ステップ６０３とステップ６０３に伴う動作について説明する。【０１３９】
図３を参照すると、参加者装置２の会議管理部２０６は、参加者装置２の使用者から会議に参加する旨の指示を受け付けると、会議参加コマンドを、ＴＣＰ／ＩＰプロトコルスタック部２０５に提供する。【０１４０】
会議参加コマンドには、参加者装置２の使用者すなわち参加希望者の識別情報（以下「参加者情報」と称する）と、参加者装置２の識別情報と、が付与される。【０１４１】
ＴＣＰ／ＩＰプロトコルスタック部２０５は、会議参加コマンドを受け付けると、その会議参加コマンドを、ＬＡＮ５経由で発表者装置１に送信する。【０１４２】
図２を参照すると、発表者装置１では、ＴＣＰ／ＩＰプロトコルスタック部１０５は、会議参加コマンドを受信すると、その会議参加コマンドを会議管理部１０６に提供する。【０１４３】
会議管理部１０６は、会議参加コマンドを受け付けると、参加希望者が会議へ参加することについて良否の判断を行う。【０１４４】
判断処理としては、一般的な方法が用いられる。【０１４５】
例えば、会議参加コマンドにパスワードが含まれている場合には、そのパスワードと予め設定されたパスワードとの照合結果に応じた判断処理が用いられてもよい。【０１４６】
また、会議参加コマンドに付与された参加者情報が発表者装置１に表示され、会議管理部１０６が、発表者に、参加希望者の会議への参加を許可するかどうかを問い合わせ、その回答に従って良否判断を行ってもよい。【０１４７】
会議管理部１０６は、例えば、発表者から、回答として、参加の許可を表す許可情報を受け付けると、会議参加コマンドに付与されている参加者装置２の識別情報を、会議管理情報として、新たに保存する。【０１４８】
よって、このとき、会議管理部１０６は、ネットワークプロジェクター４の識別情報と、発表者装置１の識別情報と、参加者装置２の識別情報とを、会議管理情報として、保存することになる。【０１４９】
続いて、会議管理部１０６は、時刻データ生成部１０１を参照し、会議管理情報と会議開始時刻ｔ０と参加時刻ｔ１が付加された会議参加許可コマンドを、ＴＣＰ／ＩＰプロトコルスタック部１０５に提供する。【０１５０】
ＴＣＰ／ＩＰプロトコルスタック部１０５は、会議参加許可コマンドを受け付けると、その会議参加許可コマンドを、ＬＡＮ５経由で、参加者装置２に送信する。【０１５１】
また、発表者装置１は、参加者装置２への画像圧縮データおよび音声圧縮データの送信を開始する。【０１５２】
図３を参照すると、参加者装置２では、ＴＣＰ／ＩＰプロトコルスタック部２０５は、会議参加許可コマンドを受信すると、会議参加許可コマンドを会議管理部２０６に提供する。【０１５３】
会議管理部２０６は、会議参加許可コマンドを受け付けると、その会議参加許可コマンドに付加されている会議開始時刻ｔ０と参加時刻ｔ１を用いて、会議時間の管理を開始する。【０１５４】
例えば、会議管理部２０６は、時刻データ生成部２０１の時刻データが現在表している時刻を、参加時刻ｔ１に設定する。このため、時刻データ生成部２０１の時刻データは、時刻データ生成部１０１の時刻データと同期し、会議開始時刻ｔ０を基準にした時刻、すなわち、会議開始時刻ｔ０からの経過時間を表すようになる。【０１５５】
また、会議管理部２０６は、会議参加許可コマンドに付加されている会議参加情報（この場合、ネットワークプロジェクター４の識別情報と、発表者装置１の識別情報と、参加者装置２の識別情報）を、保存する。【０１５６】
また、ＴＣＰ／ＩＰプロトコルスタック部２０５は、発表者装置１からの画像圧縮データと音声圧縮データの受信を開始する。【０１５７】
ＴＣＰ／ＩＰプロトコルスタック部２０５は、音声圧縮データを受信すると、その音声圧縮データを、音声伸張部２０９に提供する。【０１５８】
音声伸張部２０９は、音声圧縮データを受け付けると、その音声圧縮データを展開すなわち伸張して復元音声データを生成する。音声伸張部２０９は、復元音声データを、音声出力装置２１０に提供する。【０１５９】
音声出力装置２１０は、復元音声データを受け付けると、その復元音声データに応じた音声を出力する。【０１６０】
ＴＣＰ／ＩＰプロトコルスタック部２０５は、画像圧縮データを受信すると、その画像圧縮データを、画像伸張部２０７に提供する。【０１６１】
画像伸張部２０７は、画像圧縮データを受け付けると、その画像圧縮データを展開すなわち伸張して表示用画像データを生成する。画像伸張部２０７は、表示用画像データを、映像表示装置２０８に提供する。【０１６２】
映像表示装置２０８は、表示用画像データを受け付けると、その表示用画像データに応じた画像を表示する。【０１６３】
ここまでが、ステップ６０３とステップ６０３に伴う動作についての説明である。【０１６４】
次に、参加者装置３が、会議に参加する（ステップ６０４）。【０１６５】
以下、ステップ６０４とステップ６０４に伴う動作について説明する。【０１６６】
図４を参照すると、参加者装置３の会議管理部３０６は、参加者装置３の使用者から会議に参加する旨の指示を受け付けると、会議参加コマンドを、ＴＣＰ／ＩＰプロトコルスタック部３０５に提供する。【０１６７】
会議参加コマンドには、参加者装置３の使用者すなわち参加希望者の識別情報（参加者情報）と、参加者装置３の識別情報と、が付与される。【０１６８】
ＴＣＰ／ＩＰプロトコルスタック部３０５は、会議参加コマンドを受け付けると、その会議参加コマンドを、ＬＡＮ５経由で発表者装置１に送信する。【０１６９】
図２を参照すると、発表者装置１では、ＴＣＰ／ＩＰプロトコルスタック部１０５は、会議参加コマンドを受信すると、その会議参加コマンドを会議管理部１０６に提供する。【０１７０】
会議管理部１０６は、参加者装置２の場合と同様に、参加者装置３に関する参加良否判断を行う。【０１７１】
会議管理部１０６は、例えば、発表者から、回答として、許可情報を受け付けると、会議参加コマンドに付加されている参加者装置３の識別情報を、会議管理情報として、新たに保存する。【０１７２】
よって、このとき、会議管理部１０６は、ネットワークプロジェクター４の識別情報と、発表者装置１の識別情報と、参加者装置２の識別情報と、参加者装置３の識別情報とを、会議管理情報として、保存することになる。【０１７３】
続いて、会議管理部１０６は、時刻データ生成部１０１を参照し、会議管理情報と会議開始時刻ｔ０と参加時刻ｔ２が付加された会議参加許可コマンドを、ＴＣＰ／ＩＰプロトコルスタック部１０５に提供する。【０１７４】
ＴＣＰ／ＩＰプロトコルスタック部１０５は、会議参加許可コマンドを受け付けると、その会議参加許可コマンドを、ＬＡＮ５経由で、参加者装置３に送信する。【０１７５】
また、発表者装置１は、参加者装置３への画像圧縮データおよび音声圧縮データの送信を開始する。【０１７６】
また、発表者装置１は、会議に参加した参加者装置３の識別情報を付加した会議参加情報コマンドを、参加者装置２に通知する。【０１７７】
図４を参照すると、参加者装置３では、ＴＣＰ／ＩＰプロトコルスタック部３０５は、会議参加許可コマンドを受信すると、会議参加許可コマンドを会議管理部３０６に提供する。【０１７８】
会議管理部３０６は、会議参加許可コマンドを受け付けると、その会議参加許可コマンドに付加されている会議開始時刻ｔ０と参加時刻ｔ２を用いて、会議時間の管理を開始する。【０１７９】
例えば、会議管理部３０６は、時刻データ生成部３０１の時刻データが現在表している時刻を、参加時刻ｔ２に設定する。このため、時刻データ生成部３０１の時刻データは、時刻データ生成部１０１の時刻データと同期し、会議開始時刻ｔ０を基準にした時刻、すなわち、会議開始時刻ｔ０からの経過時間を表すようになる。【０１８０】
また、会議管理部３０６は、会議参加許可コマンドに付加されている会議参加情報（この場合、ネットワークプロジェクター４の識別情報と、発表者装置１の識別情報と、参加者装置２の識別情報と、参加者装置３の識別情報）を、保存する。【０１８１】
また、ＴＣＰ／ＩＰプロトコルスタック部３０５は、発表者装置１からの画像圧縮データと音声圧縮データの受信を開始し、参加者装置２と同様に画像と音声を出力する。【０１８２】
図３を参照すると、参加者装置２では、ＴＣＰ／ＩＰプロトコルスタック部２０５は、会議参加情報コマンドを受信すると、その会議参加情報コマンドを、会議管理部２０６に提供する。【０１８３】
会議管理部２０６は、会議参加情報コマンドを受け付けると、その会議参加情報コマンドに付加されている参加者装置３の識別情報を取得し、参加者装置３の識別情報を、会議参加情報として、新たに保存する。【０１８４】
よって、このとき、会議管理部２０６は、ネットワークプロジェクター４の識別情報と、発表者装置１の識別情報と、参加者装置２の識別情報と、参加者装置３の識別情報とを、会議管理情報として、保存することになる。【０１８５】
ここまでが、ステップ６０４とステップ６０４に伴う動作についての説明である。【０１８６】
次に、参加者装置２が、使用者の発言を受け付ける（ステップ６０５）。【０１８７】
以下、ステップ６０５とステップ６０５に伴う動作について説明する。【０１８８】
図３を参照すると、参加者装置２では、音声録音装置２０３は、マイク２ａから提供された音声データを、非圧縮のまま記憶装置２０２に音声データ２として保存すると同時に、その音声データを、音声圧縮部２０４に提供する。【０１８９】
音声圧縮部２０４は、音声データを受け付けると、リアルタイムで会議を行うために、その音声データを圧縮して音声圧縮データを生成する。音声圧縮部２０４は、音声圧縮データを、ＴＣＰ／ＩＰプロトコルスタック部２０５に提供する。【０１９０】
ＴＣＰ／ＩＰプロトコルスタック部２０５は、音声圧縮データを受け付けると、会議管理部２０６内の会議管理情報を参照して、その音声圧縮データを、ＬＡＮ５経由で、ネットワークプロジェクター４と、発表者装置１と、参加者装置３に送信する。【０１９１】
なお、音声録音装置２０３は、マイク２ａから音声データを受け付けると、時刻データ生成部２０１を参照し、音声データ２を、議事録用データとして、会議時刻ｔ３を表す時刻データと対応づけて、記憶装置２０２に保存する。【０１９２】
それぞれの装置（ネットワークプロジェクター４と、発表者装置１と、参加者装置３）は、参加者装置２からの音声圧縮データを展開して復元音声データを生成し、その復元音声データに応じた音声を出力する。【０１９３】
ここまでが、ステップ６０５とステップ６０５に伴う動作についての説明である。【０１９４】
次に、参加者装置３が、使用者の発言を受け付ける（ステップ６０６）。【０１９５】
以下、ステップ６０６とステップ６０６に伴う動作について説明する。【０１９６】
図４を参照すると、参加者装置３では、音声録音装置３０３は、マイク３ａから提供された音声データを、非圧縮のまま記憶装置３０２に音声データ３として保存すると同時に、その音声データを、音声圧縮部３０４に提供する。【０１９７】
音声圧縮部３０４は、音声データを受け付けると、リアルタイムで会議を行うために、その音声データを圧縮して音声圧縮データを生成する。音声圧縮部３０４は、音声圧縮データを、ＴＣＰ／ＩＰプロトコルスタック部３０５に提供する。【０１９８】
ＴＣＰ／ＩＰプロトコルスタック部３０５は、音声圧縮データを受け付けると、会議管理部３０６内の会議管理情報を参照して、その音声圧縮データを、ＬＡＮ５経由で、ネットワークプロジェクター４と、発表者装置１と、参加者装置２に送信する。【０１９９】
なお、音声録音装置３０３は、マイク３ａから音声データを受け付けると、時刻データ生成部３０１を参照し、音声データ３を、議事録用データとして、会議時刻ｔ４を表す時刻データと対応づけて、記憶装置３０２に保存する。【０２００】
それぞれの装置（ネットワークプロジェクター４と、発表者装置１と、参加者装置２）は、参加者装置３からの音声圧縮データを展開して復元音声データを生成し、その復元音声データに応じた音声を出力する。【０２０１】
ここまでが、ステップ６０６とステップ６０６に伴う動作についての説明である。【０２０２】
次に、参加者装置２が、使用者の発言を受け付ける（ステップ６０７）。【０２０３】
この場合、参加者装置２は、ステップ６０５と同様の処理を行い、マイク２ａから提供された音声データ（音声データ４）を、議事録用データとして、会議時刻ｔ５を表す時刻データと対応づけて、記憶装置２０２に保存する。【０２０４】
なお、会議時刻ｔ５での発言（音声データ４）が、会議時刻ｔ４の発言（音声データ）がまだ終わっていない状態で始まった場合、参加者装置２と参加者装置３のそれぞれから音声圧縮データを受信する発表者装置１およびネットワークプロジェクター４は、参加者装置２と参加者装置３のそれぞれからの音声圧縮データを展開して各音声データを生成後、各音声データをミックスし、ミックスされた音声データに応じた音声を出力する。【０２０５】
次に、発表者装置１が、使用者の発言を受け付ける（ステップ６０８）。【０２０６】
以下、ステップ６０８とステップ６０８に伴う動作について説明する。【０２０７】
図２を参照すると、発表者装置１では、音声録音装置１０３は、マイク１ａから提供された音声データを、非圧縮のまま記憶装置１０２に音声データ５として保存すると同時に、その音声データを、音声圧縮部１０４に提供する。【０２０８】
音声圧縮部１０４は、音声データを受け付けると、リアルタイムで会議を行うために、その音声データを圧縮して音声圧縮データを生成する。音声圧縮部１０４は、音声圧縮データを、ＴＣＰ／ＩＰプロトコルスタック部１０５に提供する。【０２０９】
ＴＣＰ／ＩＰプロトコルスタック部１０５は、音声圧縮データを受け付けると、会議管理部１０６内の会議管理情報を参照して、その音声圧縮データを、ＬＡＮ５経由で、ネットワークプロジェクター４と、参加者装置２と、参加者装置３に送信する。【０２１０】
なお、音声録音装置１０３は、音声データを受け付けると、時刻データ生成部１０１を参照し、音声データ５を、議事録用データとして、会議時刻ｔ６を表す時刻データと対応づけて、記憶装置１０２に保存する。【０２１１】
ネットワークプロジェクター４と、参加者装置２と、参加者装置３のそれぞれは、発表者装置１からの音声圧縮データを展開して復元音声データを生成し、その復元音声データに応じた音声を出力する。【０２１２】
ここまでが、ステップ６０８とステップ６０８に伴う動作についての説明である。【０２１３】
次に、会議が終了する（ステップ６０９）。【０２１４】
以下、ステップ６０９とステップ６０９に伴う動作について説明する。【０２１５】
図２を参照すると、発表者装置１の会議管理部１０６は、使用者から会議終了の指示を受け付けると、会議終了コマンドを、ＴＣＰ／ＩＰプロトコルスタック部１０５に提供する。【０２１６】
ＴＣＰ／ＩＰプロトコルスタック部１０５は、会議終了コマンドを受け付けると、会議管理部１０６内の会議管理情報を参照し、その会議終了コマンドを、ＬＡＮ５経由で、ネットワークプロジェクター４と、参加者装置２と、参加者装置３と、に送信する。【０２１７】
ネットワークプロジェクター４と参加者装置２と参加者装置３のそれぞれでは、会議終了コマンドが受信されると、それぞれの装置の会議管理部が、会議を終了する。【０２１８】
ここまでが、ステップ６０９とステップ６０９に伴う動作についての説明である。【０２１９】
次に、発表者装置１が、会議情報である議事録の保存を開始する（ステップ６１０）。【０２２０】
まず、発表者装置１は、参加者装置２に議事録用データを要求する（ステップ６１１）。【０２２１】
図２を参照すると、発表者装置１の会議管理部１０６は、例えば、発表者装置１の使用者から、データを収集する旨の収集指示を受け付けると、会議管理部１０６内の会議管理情報を参照して、会議に参加している装置のうち、発表者装置１およびネットワークプロジェクター４と異なる装置、つまり、データが収集される装置（以下「被収集装置」と称する）を特定する。なお、会議管理部１０６内の会議管理情報は、上述したように、会議に参加している装置の識別情報を表す。【０２２２】
例えば、会議管理部１０６は、以下のようにして、被収集装置を特定する。【０２２３】
会議管理部１０６は、会議管理部１０６内の会議管理情報の中から、発表者装置（自装置）１の識別情報と、ネットワークプロジェクター４の識別情報と、を除いた識別情報を、被収集装置の識別情報として認識する。【０２２４】
この場合、会議管理部１０６は、参加者装置２の識別情報と、参加者装置３の識別情報とを、被収集装置の識別情報として認識する。【０２２５】
会議管理部１０６は、被収集装置を特定すると、被収集装置のそれぞれに、会議議事要求コマンドを送信する。【０２２６】
本実施形態では、会議管理部１０６は、まず、参加者装置２宛に会議議事要求コマンドを送信し、その後、参加者装置３宛に会議議事要求コマンドを送信する。なお、会議議事要求コマンドの送信順序は、上記に限らず適宜変更可能である。【０２２７】
会議管理部１０６は、まず、参加者装置２宛の会議議事要求コマンドを、ＴＣＰ／ＩＰプロトコルスタック部１０５に提供する。【０２２８】
なお、会議議事要求コマンドは、一般的に要求情報と呼ぶことができる。【０２２９】
ＴＣＰ／ＩＰプロトコルスタック部１０５は、会議管理部１０６から参加者装置２宛の会議議事要求コマンドを受け付けると、その会議議事要求コマンドを、ＬＡＮ５経由で、参加者装置２に送信する。【０２３０】
図３を参照すると、参加者装置２では、ＴＣＰ／ＩＰプロトコルスタック部２０５は、発表者装置１から会議議事要求コマンドを受信すると、その会議議事要求コマンドを、会議管理部２０６に提供する。【０２３１】
会議管理部２０６は、会議議事要求コマンドを受け付けると、記憶装置２０２に保存している音声データ２と音声データ４を、各々に対応する時刻データ（会議時刻ｔ３と会議時刻ｔ５）を含めて、議事データとして、ＴＣＰ／ＩＰプロトコルスタック部２０５に提供する。【０２３２】
ＴＣＰ／ＩＰプロトコルスタック部２０５は、議事データ（音声データ２と時刻ｔ３を表す時刻データ、および、音声データ４と時刻ｔ５を表す時刻データ）を、ＬＡＮ５経由で、発表者装置１に送信する。【０２３３】
図２を参照すると、発表者装置１では、ＴＣＰ／ＩＰプロトコルスタック部１０５が、音声データ２と時刻ｔ３を表す時刻データ、および、音声データ４と時刻ｔ５を表す時刻データを受信すると、音声データ２と時刻ｔ３を表す時刻データ、および、音声データ４と時刻ｔ５を表す時刻データについて、音声データと時刻データを対応づけて、記憶装置１０２に、図７に示すように、発表者装置１のデータとは別ファイルとして保存する（ステップ６１２）。【０２３４】
なお、図７は、発表者装置１の記憶装置１０２に保存されるデータを、時刻データが表す時刻順に示した説明図である。【０２３５】
次に、発表者装置１は、参加者装置３に議事録用データを要求する（ステップ６１３）。【０２３６】
図２を参照すると、発表者装置１の会議管理部１０６は、参加者装置３宛の会議議事要求コマンドを、ＴＣＰ／ＩＰプロトコルスタック部１０５に提供する。【０２３７】
ＴＣＰ／ＩＰプロトコルスタック部１０５は、会議管理部１０６から参加者装置３宛の会議議事要求コマンドを受け付けると、その会議議事要求コマンドを、ＬＡＮ５経由で、参加者装置３に送信する。【０２３８】
図４を参照すると、参加者装置３では、ＴＣＰ／ＩＰプロトコルスタック部３０５は、発表者装置１から会議議事要求コマンドを受信すると、その会議議事要求コマンドを、会議管理部３０６に提供する。【０２３９】
会議管理部３０６は、会議議事要求コマンドを受け付けると、記憶装置３０２に保存している音声データ３を、音声データ３に対応する時刻データ（会議時刻ｔ４）を含めて、議事データとして、ＴＣＰ／ＩＰプロトコルスタック部３０５に提供する。【０２４０】
ＴＣＰ／ＩＰプロトコルスタック部３０５は、議事データ（音声データ３と時刻ｔ４を表す時刻データ）を、ＬＡＮ５経由で、発表者装置１に送信する。【０２４１】
図２を参照すると、発表者装置１では、ＴＣＰ／ＩＰプロトコルスタック部１０５が、音声データ３と時刻ｔ４を表す時刻データを受信すると、音声データ３と時刻ｔ４を表す時刻データを互いに対応づけて、記憶装置１０２に、図７に示すように、発表者装置１のデータおよび参加者装置２のデータとは別ファイルとして保存する（ステップ６１４）。【０２４２】
次に、記憶装置１０２に保存されたデータ（議事録データ）を、第三者が追体験する例について説明する。【０２４３】
読出部１１２は、例えば、第三者から再生指示を受け付けると、記憶装置１０２内の音声データおよび画像データを、そのデータに対応する時刻データが表す時刻順に読み出す。【０２４４】
例えば、読取部１１２は、記憶装置１０２内の音声データおよび画像データを、以下のように読み出す。【０２４５】
読出部１１２は、時刻を計時する計時部を有し、再生指示を受け付けると、計時部の計時時刻をｔ０にしてから、計時部を動作させる。【０２４６】
読出部１１２は、計時部の計時時刻と、記憶装置１０２内の時刻データが表す時刻と、を比較していく。【０２４７】
計時部の計時時刻が、記憶装置１０２内のいずれかの時刻データが表す時刻と一致すると、読出部１１２は、その時刻データに対応するデータ（音声データ、画像データ）を、記憶装置１０２から読み出す。【０２４８】
なお、読取部１１２が、記憶装置１０２内の音声データおよび画像データを読み出す手法は上記に限らず適宜変更可能である。【０２４９】
図７および図２を参照すると、読出部１１２は、まず、画像データと音声データ１を記憶装置１０２から読み出す。読出部１１２は、画像データを映像表示装置１０７に提供し、音声データ１を音声出力装置１１１に提供する。【０２５０】
映像表示装置１０７は、画像データを受け付けると、その画像データに応じた画像を表示する。また、音声出力装置１１１は、音声データ１を受け付けると、音声データ１に応じた音声を出力する。【０２５１】
これにより、各参加者装置に出力された映像と音声が再現される。【０２５２】
次に、図７および図２を参照すると、読出部１１２の読み出し動作は、時刻ｔ３で、音声データ１の読み出しから音声データ２の読み出しに切り替わる。読出部１１２は、音声データ２を音声出力装置１１１に提供する。音声出力装置１１１は、音声データ２を受け付けると、音声データ２に応じた音声を出力する。【０２５３】
これにより、参加者装置２の使用者の発言が再現される。【０２５４】
次に、図７および図２を参照すると、読出部１１２の読み出し動作は、時刻ｔ４で、音声データ２の読み出しから音声データ３の読み出しに切り替わる。読出部１１２は、音声データ３を音声出力装置１１１に提供する。音声出力装置１１１は、音声データ３を受け付けると、音声データ３に応じた音声を出力する。【０２５５】
これにより、参加者装置３の使用者の発言が再現される。【０２５６】
次に、図７および図２を参照すると、読出部１１２の読み出し動作は、時刻ｔ５で、音声データ３の読み出しと音声データ４の読み出しとの両方になる。読出部１１２は、記憶装置１０２から音声データ３を音声出力装置１１１に出力していた動作を、音声データ３と音声データ４をミキシングして音声出力装置１１１に出力する動作に変更する。【０２５７】
その際、２つの発言が混在して発言が聞き取りにくくなるが、音声データ３と音声データ４は個別に保存されているため、音声データ３のみ再生したり、音声データ４のみ再生したりすることが可能となる。したがって、各参加者装置の発言を明瞭に聞き取ることが可能になる。【０２５８】
次に、図７および図２を参照すると、読出部１１２の読み出し動作は、時刻ｔ６で、音声データ４の読み出しから音声データ５の読み出しに切り替わる。読出部１１２は、音声データ５を音声出力装置１１１に提供する。音声出力装置１１１は、音声データ５を受け付けると、音声データ５に応じた音声を出力する。【０２５９】
これにより、発表者装置１の使用者の発言が再現される。【０２６０】
続いて、会議が終了し、会議の追体験が完了する。【０２６１】
次に、本実施形態の効果を説明する。【０２６２】
本実施形態によれば、発表者装置１内の音声録音装置１０３は、自装置の使用者の発言を表す音声データと、その音声データの受け付け時刻を表す時刻データとを、互いに対応づけて記憶装置１０２に記憶する。【０２６３】
発表者装置１内の管理部１１３は、参加者装置２および３に要求情報を送信した後、参加者装置２および３のそれぞれから、その装置の使用者の発言を表す音声データと、その音声データが表す発言の時刻を表す時刻データと、を受信すると、その受信された音声データおよび時刻データを、互いに対応づけて記憶装置１０２に追加記憶する。【０２６４】
このため、会議サーバが存在しない電子会議システムでも、会議終了後に実際の会議を追体験可能な会議情報を生成することが可能になる。【０２６５】
なお、この効果は、時刻データ生成部１０１と、記憶装置１０２と、音声録音装置１０３と、管理部１１３とからなる発表者装置１でも奏される。【０２６６】
また、本実施形態では、発表者装置１内の画面キャプチャ部１０８は、発表者装置１が表示中の画像に応じた画像データをキャプチャし、その画像データと、その画像データのキャプチャ時刻を表す時刻データとを、互いに対応づけて記憶装置１０２に記憶する。【０２６７】
この場合、会議サーバが存在しない電子会議システムでも、会議終了後に実際の会議を画像と音声で追体験可能な会議情報を生成することが可能になる。【０２６８】
また、本実施形態では、発表者装置１内の読出部１１２は、再生指示を受け付けると、記憶装置１０２内の各音声データを、その音声データに対応する時刻データが表す時刻順に読み出す。音声出力装置１１１は、音声データが読み出された順に、各音声データに応じた音声を出力する。【０２６９】
このため、会議サーバが存在しない電子会議システムでも、会議終了後に実際の会議を追体験可能することが可能になる。【０２７０】
また、本実施形態では、発表者装置１内の読出部１１２は、再生指示を受け付けると、記憶装置内の各音声データおよび画像データを、そのデータに対応する時刻データが表す時刻順に読み出す。発表者装置１内の映像表示装置１０７は、読出部１１２にて読み出された画像データに応じた画像を表示する。【０２７１】
このため、会議サーバが存在しない電子会議システムでも、会議終了後に実際の会議を画像と音声で追体験可能することが可能になる。【０２７２】
また、本実施形態では、発表者装置１内の管理部１１３は、電子会議システムに参加している他の装置の識別情報を格納し、収集指示が入力されると、その識別情報にて識別される装置に対して、要求情報を送信する。【０２７３】
このため、要求情報の送信先を、自動的に設定することが可能になる。よって、利用者は、要求情報の送信先を手動で設定するという煩わしい作業を行う必要がなくなる。【０２７４】
また、本実施形態では、発表者装置１と参加者装置２と参加者装置３とのそれぞれは、音声データを受け付けると、その音声データを圧縮し、圧縮された音声データを、他の装置に送信する。また、発表者装置１と参加者装置２と参加者装置３とのそれぞれは、他の装置から、圧縮された音声データを受信すると、その圧縮された音声データを伸張して復元音声データを生成し、その復元音声データに応じた音声を出力する。【０２７５】
この場合、リアルタイムで送受信される音声情報としては、圧縮された音声データが用いられ、会議内容を再生するための情報としては、非圧縮のデータが用いられる。【０２７６】
このため、会議をリアルタイムで進行させながら、会議内容を再生するための情報を高品質にすることが可能になる。【０２７７】
なお、音声データは、可逆の圧縮方式では圧縮率が悪いため、音質を劣化させて圧縮するのが一般的である。従って、後から音声認識装置などで音声を文字化する場合、圧縮後の音声データを使用するよりも非圧縮の音声データを使用した方が、誤認識を減らすことができる。【０２７８】
また、本実施形態では、発表者装置１は、キャプチャされた画像データを圧縮して画像圧縮データを生成し、その画像圧縮データを、他の装置に送信する。他の装置は、画像圧縮データを受信すると、その画像圧縮データを伸張して表示用画像データを生成し、その表示用画像データに応じた画像を表示する。【０２７９】
この場合、リアルタイムで送受信される画像情報としては、圧縮された画像データが用いられ、会議内容を再生するための情報としては、非圧縮のデータが用いられる。【０２８０】
このため、会議をリアルタイムで進行させながら、会議内容を再生するための情報を高品質にすることが可能になる。【０２８１】
また、本実施形態では、発表者装置１は、非圧縮のデータを会議終了後に収集することにより、リアルタイムの会議を阻害しない。【０２８２】
また、本実施形態では、発表者装置１は、装置ごとに別ファイルとして、音声データと画像データと時刻データからなる議事データを保存する。このため、音声データが重なって聞き取りにくくなっている時間では、音声データを個別に再生することが可能となり、個々の音声を聞き取りやすくなり、また、音声認識装置で音声を文字化する場合に、誤認識を減らすことができる。【０２８３】
（第２実施形態）
次に、本発明の第２実施形態の情報処理装置を用いた電子会議システムについて説明する。【０２８４】
第２実施形態では、図１に示した電子会議システムにおいて、発表者装置１の代わりに発表者装置１Ａが用いられ、参加者装置２の代わりに参加者装置２Ａが用いられる。【０２８５】
なお、発表者装置１Ａと参加者装置２Ａと参加者装置３とは、共通する機能（構成要素）を有する個々の情報処理装置によって実現される。【０２８６】
第２実施形態では、発表者装置１Ａではなく、参加者装置２Ａが、会議内容を再生するための情報（音声データと画像データ）を収集し保存する。【０２８７】
図８は、発表者装置１Ａ、参加者装置２Ａおよび参加者装置３の全ての機能を有する情報処理装置が参加者装置２Ａであるときに機能する構成要素を示したブロック図である。【０２８８】
なお、図８において、図３に示したものと同一構成のものには同一符号を付してある。【０２８９】
参加者装置２Ａは、図３に示した参加者装置２と比較すると、管理部２１１の代わりに管理部２１１Ａを含み、ＴＣＰ／ＩＰプロトコルスタック部２０５の代わりにＴＣＰ／ＩＰプロトコルスタック部２０５Ａを含み、会議管理部２０６の代わりに会議管理部２０６Ａを含み、さらに、読出部２１２を含む。以下、参加者装置２Ａについて、参加者装置２と異なる点を中心に説明する。【０２９０】
管理部２１１Ａは、一般的に管理手段と呼ぶことができる。【０２９１】
管理部２１１Ａは、管理部２１１が有する機能に加えて、以下の機能を有する。【０２９２】
管理部２１１Ａは、例えば、リアルタイムで音声圧縮データと画像圧縮データとを他の装置と送受信する会議が終了した後に、収集指示を受け付けると、情報処理機器である発表者装置１および参加者装置３に、要求情報を送信する。【０２９３】
管理部２１１Ａは、要求情報送信後、発表者装置１Ａから、発表者装置１Ａの使用者の発言を表す音声データと、その音声データに対応する時刻データと、発表者装置１Ａで表示された画像を表す画像データと、その画像データに対応する時刻データと、を受信すると、その音声データと画像データを、そのデータに対応する時刻データと対応づけて記憶装置２０２に追加記憶する。【０２９４】
管理部２１１Ａは、要求情報送信後、参加者装置３から、その装置の使用者の発言を表す音声データと、その音声データが表す発言の時刻を表す時刻データと、を受信すると、その音声データと時刻データとを、互いに対応づけて記憶装置２０２に追加記憶する。【０２９５】
読出部２１２は、一般的に読出手段と呼ぶことができる。読出部２１２は、図２に示した読出部１１２と同様に動作する。【０２９６】
図９は、発表者装置１Ａ、参加者装置２Ａおよび参加者装置３の全ての機能を有する情報処理装置が発表者装置１Ａであるときに機能する構成要素を示したブロック図である。【０２９７】
なお、図９において、図２に示したものと同一構成のものには同一符号を付してある。【０２９８】
発表者装置１Ａは、図２に示した発表者装置１と比較すると、管理部１１３の代わりに管理部１１３Ａを含み、ＴＣＰ／ＩＰプロトコルスタック部１０５の代わりにＴＣＰ／ＩＰプロトコルスタック部１０５Ａを含み、会議管理部１０６の代わりに会議管理部１０６Ａを含む。【０２９９】
管理部１１３Ａは、一般的に管理手段と呼ぶことができる。管理部１１３Ａは、管理部１１３が有する機能に加えて、以下の機能を有する。【０３００】
管理部１１３Ａは、参加者装置２Ａから要求情報を受信すると、記憶装置１０２内に互いに対応づけて記憶してある、音声データおよび時刻データの組と、画像データおよび時刻データの組と、を読み出し、それらの組を、参加者装置２Ａに送信する。【０３０１】
図８、図９および図４では、発表者装置１Ａ、参加者装置２Ａおよび参加者装置３の全ての機能を有する情報処理装置が有する、時刻データ生成部、記憶装置、音声録音装置、音声圧縮部、ＴＣＰ／ＩＰプロトコルスタック部、会議管理部、映像表示装置、画面キャプチャ部、画像圧縮部、音声伸張部、音声出力装置、読出部、管理部、画像伸張部のそれぞれについて、発表者装置１Ａと参加者装置２Ａと参加者装置３とで別々の符号を付したが、同一名称の各々は、異なる符合で示された同一名称のものが有する機能の全てを有する。【０３０２】
なお、発表者装置１Ａ、参加者装置２Ａおよび参加者装置３の全ての機能を有する情報処理装置の各構成部は、ハードウェアでもよいし、また、各構成部の機能を規定したプログラムを実行するコンピュータによって実現されてもよい。【０３０３】
発表者装置１Ａ、参加者装置２Ａおよび参加者装置３の全ての機能を有する情報処理装置の各構成部が、プログラムを実行するコンピュータにて実現される場合、各構成部の機能を規定したプログラムは、ＣＤ−ＲＯＭ、ハードディスクまたはメモリ等のコンピュータ読み取り可能な記録媒体に記録されており、コンピュータが、その記録媒体から、そのコンピュータを読み取り実行して、上述した機能を実現する。【０３０４】
図１０は、参加者装置２Ａが会議情報を保存する動作を説明するためのフローチャートである。以下、図１０を参照して、参加者装置２Ａが会議情報を保存する動作を説明する。【０３０５】
参加者装置２Ａが、会議情報である議事録の保存を開始する（ステップ１００１）。【０３０６】
次に、参加者装置２Ａが、発表者装置１Ａに議事録用データを要求する（ステップ１００２）。【０３０７】
図８を参照すると、参加者装置２Ａの会議管理部２０６Ａは、例えば、参加者装置２Ａの使用者から収集指示を受け付けると、会議管理部２０６Ａ内の会議管理情報を参照して、被収集装置を特定する。なお、会議管理部２０６Ａは、会議管理部１０６と同様に被収集装置を特定する。【０３０８】
この場合、会議管理部２０６Ａは、発表者装置１Ａと、参加者装置３とを、被収集装置として認識する。【０３０９】
会議管理部２０６Ａは、被収集装置を特定すると、被収集装置のそれぞれに、会議議事要求コマンドを送信する。【０３１０】
本実施形態では、会議管理部２０６Ａは、まず、発表者装置１Ａ宛に会議議事要求コマンドを送信し、その後、参加者装置３宛に会議議事要求コマンドを送信する。なお、会議議事要求コマンドの送信順序は、上記に限らず適宜変更可能である。【０３１１】
会議管理部２０６Ａは、まず、発表者装置１Ａ宛の会議議事要求コマンドを、ＴＣＰ／ＩＰプロトコルスタック部２０５Ａに提供する。【０３１２】
ＴＣＰ／ＩＰプロトコルスタック部２０５Ａは、会議管理部２０６Ａから発表者装置１Ａ宛の会議議事要求コマンドを受け付けると、その会議議事要求コマンドを、ＬＡＮ５経由で、発表者装置１Ａに送信する。【０３１３】
図９を参照すると、発表者装置１Ａでは、ＴＣＰ／ＩＰプロトコルスタック部１０５Ａは、参加者装置２Ａから会議議事要求コマンドを受信すると、その会議議事要求コマンドを、会議管理部１０６Ａに提供する。【０３１４】
会議管理部１０６Ａは、会議議事要求コマンドを受け付けると、記憶装置１０２内に互いに対応づけて記憶してある、音声データおよび時刻データの組と、画像データおよび時刻データの組と、を読み出し、それらの組を、議事データとして、ＴＣＰ／ＩＰプロトコルスタック部１０５Ａに提供する。【０３１５】
ＴＣＰ／ＩＰプロトコルスタック部１０５Ａは、議事データ（画像データと時刻ｔ０を表す時刻データ、音声データ１と時刻ｔ０を表す時刻データ、および、音声データ５と時刻ｔ６を表す時刻データ）を、ＬＡＮ５経由で、参加者装置２Ａに送信する。【０３１６】
図８を参照すると、参加者装置２Ａでは、ＴＣＰ／ＩＰプロトコルスタック部２０５Ａが、画像データと時刻ｔ０を表す時刻データ、音声データ１と時刻ｔ０を表す時刻データ、および、音声データ５と時刻ｔ６を表す時刻データを受信すると、画像データと時刻ｔ０を表す時刻データ、音声データ１と時刻ｔ０を表す時刻データ、および、音声データ５と時刻ｔ６を表す時刻データについて、音声データと時刻データを対応づけて、記憶装置２０２に、図７に示すように、他の装置のデータとは別ファイルとして保存する（ステップ１００３）。【０３１７】
次に、参加者装置２Ａは、参加者装置３に議事録用データを要求する（ステップ１００４）。【０３１８】
図８を参照すると、参加者装置２Ａの会議管理部２０６Ａは、参加者装置３宛の会議議事要求コマンドを、ＴＣＰ／ＩＰプロトコルスタック部２０５Ａに提供する。【０３１９】
ＴＣＰ／ＩＰプロトコルスタック部２０５Ａは、会議管理部２０６Ａから参加者装置３宛の会議議事要求コマンドを受け付けると、その会議議事要求コマンドを、ＬＡＮ５経由で、参加者装置３に送信する。【０３２０】
図４を参照すると、参加者装置３では、会議管理部３０６が、ＴＣＰ／ＩＰプロトコルスタック部３０５を経て、会議議事要求コマンドを受信すると、記憶装置３０２に保存している音声データ３を、時刻ｔ４を表す時刻データと共に、ＴＣＰ／ＩＰプロトコルスタック部３０５を経て、ＬＡＮ５経由で、参加者装置２Ａに送信する。【０３２１】
図８を参照すると、参加者装置２Ａでは、ＴＣＰ／ＩＰプロトコルスタック部２０５Ａが、音声データ３と時刻ｔ４を表す時刻データを受信すると、音声データ３と時刻ｔ４を表す時刻データを互いに対応づけて、記憶装置２０２に、図７に示すように、発表者装置１Ａのデータおよび参加者装置２Ａのデータとは別ファイルとして保存する（ステップ１００５）。【０３２２】
本実施形態によれば、参加者装置２Ａが、他の装置から、会議を再現するための会議情報（音声データおよび画像データ）を取得し、その会議情報を再生する。【０３２３】
このため、本実施形態においても、会議サーバが存在しない電子会議システムでも、会議終了後に実際の会議を追体験可能な会議情報を生成することが可能になる。【０３２４】
なお、この効果は、時刻データ生成部２０１と、記憶装置２０２と、音声録音装置２０３と、管理部２１１Ａとからなる参加者装置２Ａでも奏する。【０３２５】
なお、上記各実施形態において、ネットワークプロジェクター４はなくてもよい。【０３２６】
また、上記各実施形態において、ネットワークプロジェクター４は、音声伸張部４０５および音声出力装置４０６を含まなくてもよい。【０３２７】
以上、実施形態を参照して本願発明を説明したが、本願発明は上記実施形態に限定されるものではない。本願発明の構成や詳細には、本願発明のスコープ内で当業者が理解し得る様々な変更をすることができる。
【図１】
2010044157.tif 000003
【図２】
2010044157.tif 000004
【図３】
2010044157.tif 000005
【図４】
2010044157.tif 000006
【図５】
2010044157.tif 000007
【図６】
2010044157.tif 000008
【図７】
2010044157.tif 000009
【図８】
2010044157.tif 000010
【図９】
2010044157.tif 000011
【図１０】
2010044157.tif 000012
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
ネットワークを介して他の情報処理装置と接続する情報処理装置であって、
時刻を表す時刻データを生成する生成手段と、
記憶手段と、
音声データが入力されると、前記生成手段を参照し、当該音声データと、当該音声データの受け付け時刻を表す時刻データとを、互いに対応づけて前記記憶手段に記憶する録音手段と、
前記他の情報処理装置の記憶手段に記憶されているデータを収集する旨の収集指示が入力されると、前記他の情報処理装置に、データを要求する旨の要求情報を送信し、前記他の情報処理装置から、音声データと、当該音声データの受け付け時刻を表す時刻データと、を受信し、当該受信された音声データおよび時刻データを、互いに対応づけて前記記憶手段に追加記憶する管理手段と、を含む情報処理装置。
【請求項２】
画像を表示する表示手段と、
前記表示手段が前記画像を表示すると、前記表示手段に表示中の画像に応じた画像データをキャプチャし、前記生成手段を参照して、当該画像データと、当該画像データのキャプチャ時刻を表す時刻データとを、互いに対応づけて前記記憶手段に記憶するキャプチャ手段と、をさらに含み、
前記管理手段は、前記他の情報処理装置に前記要求情報を送信した後、当該他の情報処理装置から、さらに、前記画像データと当該画像データに対応する時刻データと、を受信すると、当該画像データと当該時刻データとを、互いに対応づけて前記記憶手段に追加記憶する、請求項１に記載の情報処理装置。
【請求項３】
データを再生する旨の再生指示が入力されると、前記記憶手段内の各音声データを、対応する時刻データが表す時刻順に読み出す読出手段と、
前記読出手段にて読み出された順に、前記各音声データに応じた音声を出力する音声出力手段と、を含む、請求項１または２に記載の情報処理装置。
【請求項４】
データを再生する旨の再生指示が入力されると、前記記憶手段内の各音声データおよび画像データを、対応する時刻データが表す時刻順に読み出す読出手段と、
前記読出手段にて読み出された順に、前記各音声データに応じた音声を出力する音声出力手段と、をさらに含み、
前記表示手段は、前記読出手段にて読み出された画像データに応じた画像を表示する、請求項２に記載の情報処理装置。
【請求項５】
前記管理手段は、前記他の情報処理装置の識別情報を格納し、前記収集指示が入力されると、前記識別情報にて識別される他の情報処理装置に対して、前記要求情報を送信する、請求項１から４のいずれかに記載の情報処理装置。
【請求項６】
前記録音手段が前記音声データを受け付けた際に、当該音声データを圧縮して第１音声圧縮データを生成する音声圧縮手段と、
音声伸張手段と、をさらに含み、
前記管理手段は、前記音声圧縮手段にて生成された第１音声圧縮データを、前記他の情報処理装置に送信し、また、当該他の情報処理装置から、音声データが圧縮された第２音声圧縮データを受信し、
前記音声伸張手段は、前記管理手段にて受信された第２音声圧縮データを伸張して復元音声データを生成し、
前記音声出力手段は、前記音声伸張手段にて生成された復元音声データに応じた音声を出力する、請求項１から５のいずれかに記載の情報処理装置。
【請求項７】
前記キャプチャ手段が前記画像データをキャプチャした際に、当該画像データを圧縮して画像圧縮データを生成する画像圧縮手段と、
画像伸張手段と、をさらに含み、
前記管理手段は、前記画像圧縮手段にて生成された画像圧縮データを、前記他の情報処理装置に送信し、また、前記他の情報処理装置から、当該他の情報処理装置にてキャプチャされた画像データが圧縮された画像圧縮データを受信し、
前記画像伸張手段は、前記管理手段にて受信された画像圧縮データを伸張して表示用画像データを生成し、
前記表示手段は、前記画像伸張手段にて生成された表示用画像データに応じた画像を表示する、請求項２または４に記載の情報処理装置。
【請求項８】
ネットワークを介して他の情報処理装置と接続する情報処理装置での会議情報生成方法であって、
時刻を表す時刻データを生成し、
音声データが入力されると、前記時刻データを参照し、当該音声データと、当該音声データの受け付け時刻を表す時刻データとを、互いに対応づけて記憶手段に記憶し、
前記他の情報処理装置の記憶手段に記憶されているデータを収集する旨の収集指示が入力されると、前記他の情報処理装置に、データを要求する旨の要求情報を送信し、前記他の情報処理装置から、音声データと、当該音声データの受け付け時刻を表す時刻データと、を受信し、当該受信された音声データおよび時刻データを、互いに対応づけて前記記憶手段に追加記憶する、会議情報生成方法。
【請求項９】
ネットワークを介して他の情報処理装置と接続するコンピュータに、
時刻を表す時刻データを生成する生成手順と、
音声データが入力されると、前記時刻データを参照し、当該音声データと、当該音声データの受け付け時刻を表す時刻データとを、互いに対応づけて記憶手段に記憶する録音手順と、
前記他の情報処理装置の記憶手段に記憶されているデータを収集する旨の収集指示が入力されると、前記他の情報処理装置に、データを要求する旨の要求情報を送信し、前記他の情報処理装置から、音声データと、当該音声データの受け付け時刻を表す時刻データと、を受信し、当該受信された音声データおよび時刻データを、互いに対応づけて前記記憶手段に追加記憶する管理手順と、を実行させるためのプログラム。
【国際調査報告】
2010044157.tif 000013
2010044157.tif 000014
2010044157.tif 000015
2010044157.tif 000016